(57)【要約】【課題】パチンコ店において遊技客に対し、獲得パチンコ玉数に応じて景品として渡す現金交換可能な遊技用景品カードにおいて、カード本体内に組み付けた物品を常に適正位置に保持する。【解決手段】プラスチック製のベース５と、ベース５の上面に外周縁部分において超音波溶着で一体に接合されるプラスチック製のカバー６とを含む。前記ベース６の底面壁７の内面７ａに、物品３を収納する凹部１５が凹み形成されている。ベース６の底面壁７の内面７ａには、前記凹部１５まわりに前記カバー６と超音波溶着される溶着用凸部１７が突設されている。【選択図】図１
2006325641.tif 000002
【特許請求の範囲】
【請求項１】
プラスチック製のベースと、前記ベースの上面に外周縁部分が超音波溶着で一体に接合されるプラスチック製のカバーとを含み、
前記ベースの底面壁の内面に、物品を収納する凹部が凹み形成されており、
前記ベースの前記底面壁の前記内面には、前記凹部まわりに前記カバーと超音波溶着される溶着用凸部が突設されていることを特徴とする遊技用景品カード。
【請求項２】
透明な前記カバーの外面には、前記溶着用凸部の溶着跡を隠蔽するための印刷部が形成されている請求項１記載の遊技用景品カード。
【請求項３】
前記カバーの外面に、浅底の凹部が凹み形成されており、
前記浅底凹部の底面に前記印刷部が形成されている請求項２記載の遊技用景品カード。
【発明の詳細な説明】
【技術分野】
【０００１】
本発明は、パチンコ店において、遊技客に対し、獲得パチンコ玉数に応じて景品として渡す遊技用景品カードに関する。
【背景技術】
【０００２】
例えばパチンコやスロットマシンを備えた遊技場では、獲得したパチンコ玉やメダルを計数機で計算し、それらに見合った景品に交換できるシステムが一般に採られている。そこには、タバコ等の通常の景品のほかに、現金に換金するための景品がある。近年においては景品交換の機械化、自動化が進み、出玉等から景品への交換が簡便かつスピーディに行えるように、とくに換金用景品に関して所定のカードを使用することがある。この種のカードは、通常、その表面に換金額や店舗情報などの識別情報が磁気ストライプやバーコードにより記録されており、それらを専用のカードリーダーで読み取ることによって、景品交換所で現金に交換できるようになっている。
【０００３】
このような景品カードでは、換金性や等価性を付与するために、プラスチック製のカード本体内に商品価値のある物品、例えばメダルやコイン、あるいは金、白金、銀などの貴金属品などを収納している。ＩＣチップなどを収納したものもある。例えば、特許文献１の景品カードは、扁平四角皿状のベースと、該ベースの上方開口を塞ぐカバーとを有し、ベースの底面壁の内面に設けた凹部に物品（ペンダント）を装着したうえで、ベースにカバーを一体に被せ付けている。
【０００４】
【特許文献１】特開平６−７９９９３号公報（図１）
【発明の開示】
【発明が解決しようとする課題】
【０００５】
この種のベースとカバーとを接合する手段として超音波溶着を選択する場合、広範囲にわたって均一にベースとカバーとの接合面に振動を与えることは容易でない。したがって全面溶着ではなく、部分溶着の方法が広く採用される。具体的には、ベースの外周縁に超音波溶着用の接合突部を形成し、これら接合突部の突端のエネルギダイレクト部を溶融させて、ベースに対してカバーを不離一体的に結合している。
【０００６】
換金用景品カードでは、遊戯者がカード本体を曲げたり、捩じったりすることがある。その場合に、内蔵の物品が凹部から出て、ベースとカバーとの間に挟み込まれることがある。つまり、上記のような景品カードでは、ベースの外周縁に設けた接合突部だけでカバーを分離不能に固定しているにすぎない。
【０００７】
そのため、これら接合突部から遠く離れた位置にあるカード本体の盤面中央部分は撓み変形しやすく、内蔵物品の噛み込みを生じやすい。このように内蔵物品がベースとカバーとの間に挟み込まれると、カード本体の実効厚みが大きくなるため、カードリーダーへの挿入動作に支障を来たす。繰り返し使用しているうちに、最悪の場合には、ベースとカバーとが分離してしまう。
【０００８】
本発明の目的は、遊技用景品カードにおいて、曲げられたり捩じられたりした場合にも、内蔵物品がベースとカバーとの対向面間に入り込むのを確実に防いで、内蔵物品を常に凹部内に適正に保持しておくことにある。
【課題を解決するための手段】
【０００９】
本発明は、図１ないし図３に示すごとく、プラスチック製のベース５と、このベース５の上面に外周縁部分が超音波溶着で一体に接合されるプラスチック製のカバー６とを含み、ベース５の底面壁７の内面７ａに、物品３を収納する凹部１５が凹み形成されており、ベース５の底面壁７の前記内面７ａには、前記凹部１５まわりに前記カバー６と超音波溶着される溶着用凸部１７が突設されていることを特徴とする。
【００１０】
前記カバー６の外面には、前記溶着用凸部１７の溶着跡を隠蔽するための印刷部２０が形成されている。その場合、前記カバー６の外面に、浅底の凹部２６を凹み形成し、この浅底凹部２６の底面２５に前記印刷部２０を形成することができる。
【発明の効果】
【００１１】
本発明では、ベース５の凹部１５まわりも溶着用凸部１７を介してカバー６と超音波溶着されているので、例えばベース５の中央部位に凹部１５が形成されていても、凹部１５に収納した物品３が凹部１５から出てベース５とカバー６との対向内面７ａ・６ａ間に入り込むことを確実に阻止できる。したがって、カード本体が曲げられたり捩じられたりした場合にも、内蔵の物品３を常に凹部１５内に適正に保持しておけ、カードリーダーへの挿入動作不良や、読み取り不良などの発生を抑えて、遊技用景品カード１の信頼性の向上を図れる。
【００１２】
カバー６が内蔵の物品３を見るために透明プラスチック材で成形されていても、カバー６の外表面には、溶着用凸部１７の溶着跡を隠蔽するための印刷部２０を形成されているので、景品カードの外観上の体裁が低下する不具合を解消できる。
【００１３】
図４に示すごとく、前記カバー６の外面に浅底凹部２６を凹み形成し、この浅底凹部２６の底面２５に前記印刷部２０を形成してあると、例えば複数枚の遊技用景品カード１を繰り返し重ねた場合でも、印刷部２０に摺り傷が付き難く、景品カードの外観体裁を長期にわたって良好に維持できる。
【発明を実施するための最良の形態】
【００１４】
（実施例１）  図１ないし図３は、本発明に係る遊技用景品カードの実施例１を示す。図１は、遊技用景品カード（以下、単に景品カードという）の縦断面図、図２は景品カードの斜視図、図３は景品カードの分解斜視図である。
【００１５】
この景品カード１は、四角扁平状のカード本体２と、カード本体２の内部に収容された１枚のコイン（物品）３とからなる。カード本体２は、コイン３を収納するベース５と、ベース５の上面に接合されるカバー６とからなる。コイン３は、景品カード１に換金額と等価の価値を与えるものであり、図示例のような５０００円の景品カード（図２参照）では、ほぼ５０００円相当のコイン３がカード本体２内に組み付けられる。
【００１６】
図３においてベース５は、左右横長とした四角形状の底面壁７と、底面壁７の外周から上向きに一体に立ち上がる枠状の周側壁９とを備えていて、浅皿状に形成されたプラスチック成形品である。図１に示すように、カバー６はベース５の周側壁９の内側に嵌合して、カバー６がベース５に超音波溶着法で結合される。
【００１７】
カバー６は、透明なプラスチック材で薄い平板状に形成されており、コイン３の存在を外部から視認することができる。
【００１８】
図２において、透明カバー６の外表面には、景品カード１の換金価格を示す印刷表示１１と、換金価格や店舗情報などの識別情報が記録されたバーコード印刷１２とが施されている。
【００１９】
図１および図３においてベース５の底面壁７の上側内面７ａには、ほぼ中央部位に、コイン３を収容する丸穴状の凹部１５が、凹み形成されている。
【００２０】
第１に、ベース５とカバー６とは、前後左右の外周縁近くにおいて、超音波溶着で結合する。そのために、図３に示すごとく、ベース５の底面壁７の内面７ａには、左右方向および前後方向に走る４本の接合突部１６が周側壁９の内側に突出形成されている。ベース５にカバー６を嵌合し、超音波溶着ホーンをカバー６の上面から押し当てて振動させることにより、接合突部１６の突端と、これに接合するカバー６の内面６ａとを溶融させて、ベース５とカバー６とが不離一体的に超音波溶着されている。
【００２１】
第２に、前記凹部１５まわりにも溶着用凸部１７を設けてあり、この溶着用凸部１７でベース５の中央部とカバー６とが超音波溶着されている。溶着用凸部１７は、図３に示すように、凹部１５のまわりに切り欠き１９を有する円環状に突出形成してある。この溶着用凸部１７の突端と、これに接合するカバー６の内面６ａとを溶融させて、ベース５とカバー６とが超音波溶着されている。
【００２２】
このように、凹部１５まわりが溶着用凸部１７を介してカバー６に超音波溶着されていると、コイン３の収納箇所においてもベース５とカバー６との接合強度の向上を図っているので、ベース５とカバー６との不用意な分離を効果的に阻止できる。凹部１５まわりを囲む円環状の溶着用凸部１７でコイン３の遊動を規制しているので、コイン３がベース５とカバー６との対向内面７ａ・６ａ間に入り込むことを確実に阻止できる。これにて、カード本体２が曲げられたり捩じられたりした場合にも、コイン３を常に凹部１５内に適正に保持しておける。
【００２３】
図１および図２において透明カバー６の外表面には、接合突部１６および特に溶着用凸部１７の溶着跡を隠蔽するための印刷部２０を形成して、溶着跡が外部から見えないようにしてある。これにて、外観上の体裁が低下する不具合を解消できる。溶着跡を完全に隠蔽することできるよう、印刷部２０の幅寸法は、接合突部１６や溶着用凸部１７の幅寸法よりも大きなものとすることが好ましい。
【００２４】
図４は本発明に係る遊技用景品カードの別実施例を示す。そこでは、透明カバー６の外面に、浅底の凹部２６が、溶着用凸部１７に対応して凹み形成されており、この浅底凹部２６の底面２５に、溶着用凸部１７の溶着跡を隠蔽する印刷部２０を形成してある。この場合も溶着跡を完全に隠蔽することできるよう、上記の印刷処理は、図示例のような溶着用凸部１７に対応する箇所に限られず、さらに接合突部１６に対応する箇所にも施すことができる。このように、浅底凹部２６の底面２５に印刷部２０が形成されていると、例えば景品カード１が重なってカバー６の表面が擦られた場合でも、印刷部２０が削られるなどの磨耗を抑えることができる。
【００２５】
浅底凹部２６の印刷部２０の形成は、図５に示すようなタンポ印刷によって実施できる。図５（ａ）・（ｂ）において、符号２７は上下動自在な可動部を、符号２８は可動部２７の先端に設けられたゴム製のタンポ転写体を示す。図５（ａ）に示すようにタンポ転写体２８の先端にインク２９を付着させた状態から、図５（ｂ）に示すように可動部２７を下降させて、タンポ転写体２８を浅底凹部２６の底面２５に押し付けて転写印刷する。かかるタンポ印刷は、極小のデザインの再現性に優れるため、デザイン上の制限なく、様々な印刷をカバー６に施すことができる。細かで複雑な印刷を施すことで偽造の防止を図り、セキュリティ性の向上も図れる。
【００２６】
上記実施形態においては、内蔵する物品としてコイン３を示したが、これに限られず、カード本体２内にはペンダントや宝石などの貴金属材を収納することができる。ＩＣチップをカード本体内に収容し、該チップを収納するための凹部１５まわりに溶着用凸部１７を設けてあってもよい。
【００２７】
先の接合突部１６は、一連の周回状に形成できるし、分断された線状に形成されていてもよい。また先の溶着用凸部１７は線状凸起として連続する環状に形成されていてもよい。
【図面の簡単な説明】
【００２８】
【図１】全体の外観縦断側面図
【図２】全体の外観斜視図
【図３】分解斜視図
【図４】本発明の別実施例を示す要部の縦断側面図
【図５】タンポ印刷の要領を説明する断面図
【符号の説明】
【００２９】
１  遊技用景品カード
２  カード本体
３  物品
５  ベース
６  カバー
６ａ  カバーの下面
７  底面壁
７ａ  底面壁の上面
９  周側壁
１５  凹部
１６  接合突部
１７  溶着用凸部
２０  印刷部
２５  浅底凹部の底面
２６  浅底凹部
【図１】
2006325641.tif 000003
【図２】
2006325641.tif 000004
【図３】
2006325641.tif 000005
【図４】
2006325641.tif 000006
【図５】
2006325641.tif 000007